(57)【要約】【課題】店舗での過度のオペレーション負荷なく、より多様なユーザがゲームに満足できるような制限時間を設定する。【解決手段】撮影画像管理システム（１０）において、管理サーバ（４）が、写真シール作成ゲームの各工程に対する制限時間を指示する設定指示情報を格納した設定指示情報データベース（４２６）から設定指示情報を読み出し、読み出した設定指示情報を写真シール作成装置（１）に送信する設定指示情報配信部（４１８）を備え、写真シール作成装置（１）が、設定指示情報に従って制限時間を設定する撮影制御部（３１２）、編集制御部（３１３）、事後接客制御部（３１５）を備える。【選択図】図１
2015184314.tif 000002
【特許請求の範囲】
【請求項１】
被写体を撮影して撮影画像または該撮影画像を編集した編集画像である画像データを得るゲームを提供する写真撮影編集装置と、該写真撮影編集装置と通信可能に接続されるサーバとを含む写真撮影編集装置制御システムであって、
上記サーバが、
上記撮影画像を得る工程および上記編集画像を得る工程を含む上記ゲームの各工程に対する制限時間を示す制限時間情報を格納した記憶部から、該制限時間情報を取得する制限時間情報取得手段と、
上記制限時間情報取得手段が取得した上記制限時間情報を該写真撮影編集装置に送信する制限時間情報送信手段と、
を備え、
上記写真撮影編集装置が、
上記サーバから、上記制限時間情報を受信する制限時間情報受信手段と、
上記制限時間情報受信手段が取得した制限時間情報に従って、上記ゲームの各工程に対する制限時間を設定する制限時間設定手段と、
を備えることを特徴とする写真撮影編集装置制御システム。
【請求項２】
上記制限時間情報では、上記制限時間情報送信手段は、上記写真撮影編集装置が設置される地域または場所、または、上記写真撮影編集装置に応じた制限時間が設定されており、
上記制限時間情報送信手段は、上記写真撮影編集装置が設置される地域または場所、または、上記写真撮影編集装置に応じた上記制限時間情報を、上記写真撮影編集装置に対して送信することを特徴とする請求項１に記載の写真撮影編集装置制御システム。
【請求項３】
上記写真撮影編集装置は、得られた画像データを、画像データを管理する画像管理サービスを提供する画像管理サーバに送信するものであり、
上記制限時間情報では、上記画像管理サービスを利用するユーザの会員種別ごとに、上記制限時間が設定されていることを特徴とする請求項１または２に記載の写真撮影編集装置制御システム。
【請求項４】
上記写真撮影編集装置は、得られた画像データを、画像データを管理する画像管理サービスを提供する画像管理サーバに送信するものであり、
上記制限時間情報では、上記画像管理サービスを利用するユーザごとに、上記制限時間が設定されていることを特徴とする請求項１または２に記載の写真撮影編集装置制御システム。
【請求項５】
上記写真撮影編集装置は、
該写真撮影編集装置において行われた上記ゲームの各工程の処理時間を示す処理時間情報を送信する処理時間情報送信手段を備え、
上記サーバは、
上記写真撮影編集装置から、該写真撮影編集装置において行われた上記ゲームの各工程の処理時間を示す処理時間情報を取得する処理時間情報取得手段と、
上記処理時間情報取得手段が取得した処理時間情報に基づいて上記制限時間情報を生成する制限時間情報生成手段と、を備えることを特徴とする請求項１に記載の写真撮影編集装置制御システム。
【請求項６】
上記制限時間情報生成手段は、上記写真撮影編集装置の稼働率に応じて上記制限時間に上限または下限を設けることを特徴とする請求項５に記載の写真撮影編集装置制御システム。
【請求項７】
請求項１から６のいずれか１項に記載の写真撮影編集装置制御システムに含まれるサーバ。
【請求項８】
請求項１から６のいずれか１項に記載の写真撮影編集装置制御システムに含まれる写真撮影編集装置。
【請求項９】
請求項７に記載のサーバとしてコンピュータを機能させるための制御プログラムであって、コンピュータを上記各手段として機能させるための制御プログラム。
【請求項１０】
請求項８に記載の写真撮影編集装置としてコンピュータを機能させるための制御プログラムであって、コンピュータを上記各手段として機能させるための制御プログラム。
【請求項１１】
被写体を撮影して撮影画像または該撮影画像を編集した編集画像である画像データを得るゲームを提供する写真撮影編集装置と、該写真撮影編集装置と通信可能に接続されるサーバとを含む写真撮影編集装置制御システムの動作方法であって、
上記サーバにおいて、上記撮影画像を得る工程および上記編集画像を得る工程を含む上記ゲームの各工程に対する制限時間を示す制限時間情報を格納した記憶部から、該制限時間情報を取得する制限時間情報取得ステップと、
上記サーバにおいて、上記制限時間情報取得ステップにて取得した上記制限時間情報を該写真撮影編集装置に送信する制限時間情報送信ステップと、
上記写真撮影編集装置において、上記サーバから、上記制限時間情報を受信する制限時間情報受信ステップと、
上記写真撮影編集装置において、上記制限時間情報受信ステップにて取得した制限時間情報に従って、上記ゲームの各工程に対する制限時間を設定する制限時間設定ステップと、
を含むことを特徴とする写真撮影編集装置制御システムの動作方法。
【発明の詳細な説明】
【技術分野】
【０００１】
本発明は、ユーザを被写体とする撮影で得られた撮影画像または該撮影画像を編集した編集画像である画像データを得るゲームを提供する写真撮影編集装置と、該写真撮影編集装置と通信するサーバを含む写真撮影編集装置制御システム、サーバ、写真撮影編集装置、および、これらの制御プログラム、ならびに、システムの動作方法に関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させることによって画像をユーザに提供するサービスが人気を博している。このような写真シール作成装置では、写真シール作成ゲームを通じて作成した画像を、画像管理サービスを提供するサーバに送信して保存する。
【０００３】
写真シール作成ゲームは、学生などに人気があり、このため、写真撮影プリント装置は、放課後（夕方以降）や学校が休みの日などが繁忙期となる傾向がある。また、多くの学生などが集まる繁華街には、人気のある機種や最新機種を多数配備した大型店が存在する。
【０００４】
複数のユーザグループが同じような時間帯に写真シール作成ゲームに興じるようなことも多く、従来、ゲームを速やかに進行させるための技術が提案されてきた。
【０００５】
例えば、複数のユーザグループが同じような時間帯に写真シール作成ゲームを行う場合、写真シール作成装置が画像をサーバへ送信する処理が遅延する場合がある。この遅延解消のため、ユーザグループ間で画像送信のタイミングを調整することが提案されている（特許文献１）。
【０００６】
また、写真シール作成装置では、ユーザの回転率向上のため、写真シール作成ゲームの各工程が短い制限時間で区切られていることもある。
【先行技術文献】
【特許文献】
【０００７】
【特許文献１】特開２０１１-１０１２５９号公報（２０１１年５月１９日公開）
【発明の概要】
【発明が解決しようとする課題】
【０００８】
しかしながら、上述のような制限時間（タイムアウト）は、写真シール作成ゲームに慣れたコアユーザを前提として設定されている場合も多く、写真シール作成ゲームに慣れていないユーザは、時間制限が短すぎて、ゲームについていけなくなることがあった。写真シール作成ゲームに慣れていないユーザに対しては、このような時間制限を設けないことが理想である一方で、店舗の収益性を確保や、他のユーザの満足度向上の観点から言えば時間制限を設けてユーザの回転率を向上することが望まれる。
【０００９】
本発明は、上記問題に鑑みたものであり、その目的は、店舗での過度のオペレーション負荷なく、より多様なユーザがゲームに満足できるような制限時間を設定することができる写真撮影編集装置制御システム、サーバ、写真撮影編集装置、および、これらの制御プログラム、ならびに、システムの動作方法を実現することにある。
【課題を解決するための手段】
【００１０】
上記の課題を解決するために、本発明の一態様に係る写真撮影編集装置制御システムは、被写体を撮影して撮影画像または該撮影画像を編集した編集画像である画像データを得るゲームを提供する写真撮影編集装置と、該写真撮影編集装置と通信可能に接続されるサーバとを含む写真撮影編集装置制御システムであって、上記サーバが、上記撮影画像を得る工程および上記編集画像を得る工程を含む上記ゲームの各工程に対する制限時間を示す制限時間情報を格納した記憶部から、該制限時間情報を取得する制限時間情報取得手段と、上記制限時間情報取得手段が取得した上記制限時間情報を該写真撮影編集装置に送信する制限時間情報送信手段と、を備え、上記写真撮影編集装置が、上記サーバから、上記制限時間情報を受信する制限時間情報受信手段と、上記制限時間情報受信手段が取得した制限時間情報に従って、上記ゲームの各工程に対する制限時間を設定する制限時間設定手段と、を備えることを特徴とする。
【００１１】
上記の課題を解決するために、本発明の一態様に係る写真撮影編集装置制御システムの動作方法は、被写体を撮影して撮影画像または該撮影画像を編集した編集画像である画像データを得るゲームを提供する写真撮影編集装置と、該写真撮影編集装置と通信可能に接続されるサーバとを含む写真撮影編集装置制御システムの動作方法であって、上記サーバにおいて、上記撮影画像を得る工程および上記編集画像を得る工程を含む上記ゲームの各工程に対する制限時間を示す制限時間情報を格納した記憶部から、該制限時間情報を取得する制限時間情報取得ステップと、上記サーバにおいて、上記制限時間情報取得ステップにて取得した上記制限時間情報を該写真撮影編集装置に送信する制限時間情報送信ステップと、上記写真撮影編集装置において、上記サーバから、上記制限時間情報を受信する制限時間情報受信ステップと、上記写真撮影編集装置において、上記制限時間情報受信ステップにて取得した制限時間情報に従って、上記ゲームの各工程に対する制限時間を設定する制限時間設定ステップと、を含むことを特徴とする。
【００１２】
上記構成によれば、サーバにおいて、被写体を撮影して撮影画像または該撮影画像を編集した編集画像である画像データを得るゲームの各工程に対する制限時間を示す制限時間情報を記憶部から取得し、取得した制限時間情報を、上記ゲームを提供する写真撮影編集装置に配信することができる。
【００１３】
これにより、写真撮影編集装置において、制限時間情報が示す制限時間に基づき各ゲームの制限時間を設定することができる。すなわち、サーバにおいて、写真撮影編集装置の各ゲームの制限時間を設定することができる。
【００１４】
よって、店舗での過度のオペレーション負荷なく、より多様なユーザがゲームに満足できるような制限時間を設定することができる。
【００１５】
また、本発明の写真撮影編集装置制御システムでは、上記制限時間情報では、上記制限時間情報送信手段は、上記写真撮影編集装置が設置される地域または場所、または、上記写真撮影編集装置に応じた制限時間が設定されており、上記制限時間情報送信手段は、上記写真撮影編集装置が設置される地域または場所、または、上記写真撮影編集装置に応じた上記制限時間情報を、上記写真撮影編集装置に対して送信してもよい。
【００１６】
上記構成によれば、写真撮影編集装置の設置される地域、場所、または、写真撮影編集装置に応じた制限時間情報を該写真撮影編集装置に送信することができる。
【００１７】
これにより、地域的特性、店舗特性あるいは装置特性に応じて制限時間を設定することができる。なお、制限時間情報は、朝の制限時間、夕方の制限時間など、一日の時間帯に応じた制限時間を設定もできる。朝は制限時間が長く、夕方は短く設定されてもよい。
【００１８】
また、本発明の写真撮影編集装置制御システムでは、上記写真撮影編集装置は、得られた画像データを、画像データを管理する画像管理サービスを提供する画像管理サーバに送信するものであり、上記制限時間情報では、上記画像管理サービスを利用するユーザの会員種別ごとに、上記制限時間が設定されていてもよい。
【００１９】
上記構成によれば、会員種別に応じた制限時間を設定することができる。例えば、有料会員に対しては、制限時間を長くし、無料会員に対しては、制限時間を短くすることで、有料会員の満足度向上を図るとともに、無料会員から有料会員に会員種別を変更する動機をユーザに与えることができる。
【００２０】
また、本発明の写真撮影編集装置制御システムでは、上記写真撮影編集装置は、得られた画像データを、画像データを管理する画像管理サービスを提供する画像管理サーバに送信するものであり、上記制限時間情報では、上記画像管理サービスを利用するユーザごとに、上記制限時間が設定されていてもよい。
【００２１】
上記構成によれば、ユーザごとに制限時間を設定するので、各ユーザのゲームへの習熟度に応じた制限時間を設定することができる。
【００２２】
また、本発明の写真撮影編集装置制御システムでは、上記写真撮影編集装置は、該写真撮影編集装置において行われた上記ゲームの各工程の処理時間を示す処理時間情報を送信する処理時間情報送信手段を備え、上記サーバは、上記写真撮影編集装置から、該写真撮影編集装置において行われた上記ゲームの各工程の処理時間を示す処理時間情報を取得する処理時間情報取得手段と、上記処理時間情報取得手段が取得した処理時間情報に基づいて上記制限時間情報を生成する制限時間情報生成手段と、を備えていてもよい。
【００２３】
上記構成によれば、サーバは、写真撮影編集装置において行われた上記ゲームの各工程の処理時間に応じて、制限時間情報を生成することができる。
【００２４】
よって、写真撮影編集装置において、実際にユーザがゲームを行った実績に基づく制限時間を設定することができ、これにより、ゲーム中に時間切れとなることを防ぐことができる。
【００２５】
また、本発明の写真撮影編集装置制御システムでは、上記制限時間情報生成手段は、上記写真撮影編集装置の稼働率に応じて上記制限時間に上限または下限を設けていてもよい。
【００２６】
上記構成によれば、上記写真撮影編集装置の稼働率に応じて上記制限時間に上限を設けるので、制限時間が長くなりすぎて、著しい稼働率低下を招くような事態が発生することを防ぐことができる。あるいは、上記写真撮影編集装置の稼働率に応じて上記制限時間に下限を設けることができるので、それほど高い稼働率が求められない場合は、最低限の制限時間を設けて、十分な処理時間を確保することができる。
【００２７】
なお、本発明の写真撮影編集装置制御システムに含まれるサーバ、および写真撮影編集装置も、本発明の範疇に入る。
【００２８】
本発明の各態様に係るサーバまたは写真撮影編集装置は、コンピュータによって実現してもよく、この場合には、コンピュータを上記サーバまたは上記写真撮影編集装置が備える各手段として動作させることによって上記サーバまたは上記写真撮影編集装置をコンピュータにて実現させる制御プログラム、およびそれを記録したコンピュータ読み取り可能な記録媒体も、本発明の範疇に入る。
【発明の効果】
【００２９】
本発明によれば、より適正な制限時間を設定することにより、より多様なユーザに対応することができるという効果を奏する。
【図面の簡単な説明】
【００３０】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る撮影画像管理システムを別の側面から表した構成を示す図である。
【図１９】本発明の第１実施形態に係る管理サーバの稼働情報データベースに格納される稼働情報のデータ構造および具体例を示す図である。
【図２０】本発明の第１実施形態に係る管理サーバの設定指示情報データベースに格納される設定指示情報のデータ構造および具体例を示す図である。
【図２１】稼働情報の設定指示情報の生成から配信にかけての一連の処理の流れの例を示すシーケンス図である。
【発明を実施するための形態】
【００３１】
〔実施形態１〕
本発明の第１実施形態について、図１〜図２１を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３２】
（撮影画像管理システム１０）
図２は、本発明の第１実施形態に係る撮影画像管理システム（写真撮影編集装置制御システム）１０の構成を示す図である。図２に示すように、撮影画像管理システム１０は、写真シール作成装置（写真撮影編集装置）１、携帯端末６、および管理サーバ（サーバ）４を備えている。
【００３３】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービス（写真シール作成ゲームとも称する）は、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３４】
なお、撮影画像管理システム１０は、通常、図１８に示すように複数の写真シール作成装置１Ａ、１Ｂ・・・１Ｚを備える。以下では、特に写真シール作成装置１Ａ、１Ｂ・・・１Ｚのそれぞれを区別する必要がない場合は、代表的に、写真シール作成装置１と表記する。
【００３５】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３６】
ユーザは、自身の会員属性（会員種別）を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００３７】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。なお、後述するユーザ認証を行う場合、上記メールアドレスの入力は行わなくてもよい。
【００３８】
ゲームの終了後、ユーザは写真シールを手に入れる。一方、写真シール作成装置１は、生成した画像に、ユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３９】
画像提供サイトへの画像保存後、ユーザは、携帯端末６または所望の他の装置を用いて画像提供サイトにログインして、画像をダウンロードすることができる。
【００４０】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４１】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４２】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４３】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４４】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４５】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４６】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４７】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４８】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４９】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５０】
図３に示す編集部１２の構成を正面側の構成とすると、２組のユーザが同時に編集することができるように、編集部１２の正面側と背面側には編集制御に用いられる構成がそれぞれ設けられる。
【００５１】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５２】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５３】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５４】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５５】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５６】
（ユーザの移動）
写真シール作成ゲームの流れと、それに伴うユーザの移動について図５を参照して説明する。図５は、ユーザの移動について説明する図である。
【００５７】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５８】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５９】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６０】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６１】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６２】
画像の印刷が終了したとき、ユーザは、事後接客部１３に設けられた排出口からシール紙を受け取り、一連の写真シール作成ゲームを終えることになる。
【００６３】
（各部材の構成）
次に、写真シール作成装置１に備えられる各部材の構成について説明する。
【００６４】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６５】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６６】
正面パネル４１のほぼ中央には撮影・表示ユニット８１が設けられる。撮影・表示ユニット８１は、カメラ９１、正面ストロボ９２、タッチパネルモニタ９３、非接触型ＩＣリーダ／ライタ９４Ａ、および非接触型ＩＣリーダ／ライタ９４Ｂから構成される。
【００６７】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６８】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６９】
非接触型ＩＣリーダ／ライタ９４Ａおよび９４Ｂは、近接された非接触型ＩＣと通信を行い、非接触型ＩＣからのデータの読み出しおよび非接触型ＩＣに対するデータの書き込みを行うものである。
【００７０】
なお、写真シール作成装置１は、後述するユーザ認証のために事前接客部を設けてもよい。この場合、上記事前接客部には、ユーザ認証に係る情報（ユーザ情報）を得るための部材（例えばタッチパネル、非接触型ＩＣリーダ／ライタ、または携帯端末６を撮影するためのカメラなど）が備えられる。
【００７１】
なお、本実施形態では、ユーザ認証の方法として、非接触型ＩＣを用いる方法について説明する（詳しくは後述）が、上記ユーザ認証の方法は、特に限定されない。例えば、写真シール作成装置１は、撮影部２１のタッチパネルモニタ９３、編集部１２のタブレット内蔵モニタ１３１、または、タブレット内蔵モニタ１６１などにおいてユーザから直接入力された、ユーザを特定する情報（ユーザ特定情報、例えば会員ＩＤ、メールアドレスなど）を用いてユーザ認証を行ってもよい。
【００７２】
また、認証制御部３１６は、ＱＲコード（登録商標）等の二次元コードを用いたユーザ認証を行ってもよい。例えば、認証制御部３１６は、認証情報がエンコードされた二次元バーコードをカメラ９１（または二次元バーコードを読み取るためのサブカメラ等）で読み取ることにより認証情報を取得し、後述の会員認証に係る処理を行ってもよい。
【００７３】
また、認証制御部３１６は、顔認証、指紋認証、声認証等、一般的に知られている認証手段を用いてユーザ認証を行ってもよい。
【００７４】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７５】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７６】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７７】
足元ストロボ８６の右側には、ユーザがお金を投入する硬貨投入返却口８７が設けられる。
【００７８】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７９】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００８０】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８１】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。また、タブレット内蔵モニタ１３１の左下側、すなわち、タッチペン１３２Ａの下側には非接触型ＩＣリーダ／ライタ９５Ａが設けられる。さらに、タブレット内蔵モニタ１３１の右下側、すなわち、タッチペン１３２Ｂの下側には非接触型ＩＣリーダ／ライタ９５Ｂが設けられる。
【００８２】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８３】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８４】
非接触型ＩＣリーダ／ライタ９５Ａおよび９５Ｂ（通信部）は、近接された非接触型ＩＣと通信を行い、非接触型ＩＣからのデータの読み出しおよび非接触型ＩＣに対するデータの書き込みを行うものである。
【００８５】
（事後接客部１３）
編集部１２の左側には事後接客部１３が設けられる。図９は、写真シール作成装置１に備えられる事後接客部１３の構成例を示す図である。
【００８６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８７】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８８】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８９】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００９０】
スピーカ１６５は、事後接客時の案内音声、ＢＧＭ、効果音等の音を出力する。
【００９１】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９２】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９３】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。なお、記憶部２０２は、写真シール作成ゲームの各処理の制限時間を指定する設定指示情報２０２Ａ（図１１参照）を格納している。具体的には、写真シール作成ゲームにおける「撮影処理」、「編集処理」、および「事後接客処理」の各処理についての制限時間を定めたものである。しかしながら、これに限られず「撮影処理」、「編集処理」、および「事後接客処理」の処理について制限時間を定めてもよい。
【００９４】
通信部２０３はインターネットなどのネットワークのインタフェースであり、制御部２０１による制御に従って外部の装置と通信を行う。
【００９５】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９６】
ＲＯＭ２０６には、制御部２０１において実行されるプログラムおよびデータが記憶されている。ＲＡＭ２０７は、制御部２０１が処理するデータおよびプログラムを一時的に記憶する。
【００９７】
撮影部２１は、撮影空間Ａ１における撮影制御を行う構成である硬貨処理部２２１、背景制御部２２２、照明制御部２２３、カメラ９１、タッチパネルモニタ９３、スピーカ２２４、および非接触型ＩＣリーダ／ライタ９４Ａ、および非接触型ＩＣリーダ／ライタ９４Ｂから構成される。
【００９８】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９９】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１００】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１０１】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１０２】
カメラ９１は、制御部２０１による制御に従って撮影を行い、撮影によって得られた画像（画像）を制御部２０１に出力する。
【０１０３】
非接触型ＩＣリーダ／ライタ９４Ａおよび９４Ｂは、近接された非接触型ＩＣからデータを読み出し制御部２０１へ送信する。また、非接触型ＩＣリーダ／ライタ９４Ａおよび９４Ｂは、制御部２０１から受信したデータを非接触型ＩＣに書き込む。
編集部１２Ａは、編集空間Ａ２−１における編集制御を行う構成として編集部１２の正面側に設けられるタブレット内蔵モニタ１３１、タッチペン１３２Ａ、１３２Ｂ（入力手段）、スピーカ２３１、非接触型ＩＣリーダ／ライタ９５Ａ、および非接触型ＩＣリーダ／ライタ９５Ｂから構成される。編集部１２Ｂも編集部１２Ａと同一の構成を有しており、編集空間Ａ２−２における編集制御を行う。
【０１０４】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。非接触型ＩＣリーダ／ライタ９５Ａおよび９５Ｂは、非接触型ＩＣリーダ／ライタ９４Ａおよび９４Ｂと同様の処理を行う。すなわち、非接触型ＩＣリーダ／ライタ９５Ａおよび９５Ｂは、近接された非接触型ＩＣからデータを読み出し制御部２０１へ送信し、制御部２０１から受信したデータを非接触型ＩＣに書き込む。
【０１０５】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０６】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０７】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１０８】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０９】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１１０】
（制御部の構成）
図１１は、写真シール作成装置１に備えられる制御部２０１の詳細な構成例を示す機能ブロック図である。この図に示すように、制御部２０１は、通信制御部３１１、撮影制御部（制限時間設定手段）３１２、編集制御部（制限時間設定手段）３１３、印刷制御部３１４、事後接客制御部（制限時間設定手段）３１５、認証制御部３１６、稼働情報送信部３１７、および設定指示要求部（制限時間情報受信手段）３１８を備えている。
【０１１１】
通信制御部３１１は、通信部２０３による外部の装置との通信を制御する。
【０１１２】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理（以下、撮影処理と称する）とを制御する。撮影制御部３１２は、画像が撮影された日時に関する日時情報を生成することもできる。また、撮影制御部３１２は、設定指示情報２０２Ａに基づいて、撮影処理の制限時間を設定する。また、撮影制御部３１２は、撮影処理の開始から終了までの時間（以下、撮影処理の処理時間と称する）を計測し、計測した撮影処理の処理時間を稼働情報送信部３１７に通知する。
【０１１３】
編集制御部３１３は、編集部１２Ａおよび編集部１２Ｂによる画像に対する落書き編集等、写真シール作成ゲームにおけるユーザの編集制御に関する処理（以下、編集処理と称する）を制御する。また、編集制御部３１３は、設定指示情報２０２Ａに基づいて、編集処理の制限時間を設定する。また、編集制御部３１３は、編集処理の開始から終了までの時間（以下、編集処理の処理時間と称する）を計測し、計測した編集処理の処理時間を稼働情報送信部３１７に通知する。
【０１１４】
印刷制御部３１４は、印刷部２１１によるシール紙の印刷等、写真シール作成ゲームにおけるユーザの印刷制御に関する処理を制御する。
【０１１５】
認証制御部３１６は、写真シール作成装置１において会員認証に係る処理を制御する。認証制御部３１６の機能の詳細については後述する。
【０１１６】
事後接客制御部３１５は、事後接客部１３による、編集作業を終了したユーザグループを接客する処理等、写真シール作成ゲームにおける事後接客に関する処理（以下、事後接客処理と称する）を制御する。また、事後接客制御部３１５は、設定指示情報２０２Ａに基づいて、事後接客処理の制限時間を設定する。また、事後接客制御部３１５は、事後接客処理の開始から終了までの時間（以下、事後接客処理の処理時間）を計測し、計測した事後接客の処理時間を稼働情報送信部３１７に通知する。
【０１１７】
稼働情報送信部３１７は、写真シール作成ゲームの各処理にかかった時間を示す稼働情報を生成し、管理サーバ４に送信する。具体的には、稼働情報送信部３１７が生成する可動情報には、写真シール作成装置１が設置される地域および場所、写真シール作成装置１の装置ＩＤ、写真シール作成ゲームを一意に特定するためのゲームＩＤ、ゲームが行われた日時、および写真シール作成ゲームの各処理の処理時間が含まれるものとする。なお、稼働情報送信部３１７は、上記のとおりゲームごとの各処理の処理時間を、稼働情報として生成してもよいし、所定期間に行われたゲームにおける各処理の処理時間の平均値、または、最大値を稼働情報として生成してもよい。ここで、所定期間とは、前日のゲーム情報を対象にしてもよいし、前回の送信時間から一定期間を対象にしてもよい。また、稼働情報送信部３１７は、このようにして生成した稼働情報を、任意のタイミングで送信できる。例えば、稼働情報送信部３１７は、ゲームごとに稼働情報を生成する場合は、ゲームごとに稼働情報を送信してもよい。また、稼働情報送信部３１７は、所定期間ごとに稼働情報を生成する場合、稼働情報を生成したタイミングで、稼働情報を送信してもよい。
【０１１８】
また、以下では、稼働情報送信部３１７は、一例として、撮影処理、編集処理、および事後接客処理の処理時間を示す稼働情報を生成するものとする。すなわち、稼働情報送信部３１７は、撮影制御部３１２から通知される撮影処理の処理時間、編集制御部３１３から通知される編集処理の処理時間、および事後接客制御部３１５から通知される事後接客処理の処理時間を含む稼働情報を生成する。しかしながら、これに限られず、稼働情報送信部３１７は、撮影処理、編集処理、および事後接客処理以外の処理時間を含む稼働情報を生成してもよい。
【０１１９】
設定指示要求部３１８は、写真シール作成ゲームの各処理の制限時間を指定する設定指示情報を送信するよう管理サーバ４に要求するものである（以下、この要求のことを設定指示情報送信要求と称する）。具体的には、設定指示要求部３１８は、地域および場所、装置ＩＤなどの情報を含む設定指示情報送信要求を管理サーバ４に送信する。そして、設定指示要求部３１８は、当該要求に応じて管理サーバ４から送信される設定指示情報を受信すると、受信した設定指示情報を記憶部２０２に格納する。
【０１２０】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１２１】
（制御部４０１の詳細）
図１に示すように、制御部４０１は、通信制御部４１１、メール作成部４１２、ウェブページ作成部４１３、画像管理部４１４、認証部４１５、稼働情報取得部（処理時間情報取得手段）４１６、設定指示情報生成部（制限時間情報取得手段）４１７、および設定指示情報配信部（制限時間情報送信手段）４１８を備えている。
【０１２２】
（通信制御部４１１）
通信制御部４１１は、通信部４０３による通信を制御する。
【０１２３】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１２４】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１２５】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２６】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２７】
（認証部４１５）
認証部４１５は、写真シール作成装置１からのユーザ認証の要求を受け付け、ユーザ認証を行うものである。認証部４１５は、写真シール作成装置１から、会員認証に必要な情報（認証情報）を受信すると、当該認証情報を用いて会員認証を行う。そして、認証部４１５は、認証結果を写真シール作成装置１へと送信する。
【０１２８】
（稼働情報取得部４１６）
稼働情報取得部４１６は、写真シール作成装置１から送信される稼働情報を取得し、取得した稼働情報を稼働情報データベース４２５に保存する。
【０１２９】
（設定指示情報生成部４１７）
設定指示情報生成部４１７は、写真シール作成装置１の稼働状況に応じて、写真シール作成装置１が提供する写真シール作成ゲームの各処理の制限時間を指定する設定指示情報を生成する。なお、設定指示情報の詳細については後述する。
【０１３０】
（設定指示情報配信部４１８）
設定指示情報配信部４１８は、写真シール作成装置１からの要求に応じて設定指示情報を配信する。
【０１３１】
（記憶部４０２の詳細）
図１に示すように、記憶部４０２は、メールデータベース４２１、会員データベース４２２、ウェブページデータベース４２３、画像データベース４２４、稼働情報データベース４２５、設定指示情報データベース（記憶部）４２６を有している。
【０１３２】
（メールデータベース４２１）
メールデータベース４２１は、ユーザに送信するメールを作成するための各種データを格納している。
【０１３３】
（会員データベース４２２）
会員データベース４２２は、画像提供サイトの会員であるユーザに関する各種情報である会員情報を格納している。本実施形態では、会員情報は、写真シール作成装置１を利用するユーザを特定する情報（ユーザ特定情報）をユーザ別に格納したデータである。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などの会員種別を挙げることができる。
【０１３４】
（ウェブページデータベース４２３）
ウェブページデータベース４２３は、携帯端末６に表示される画像提供サイトのウェブページを作成するための各種データを格納している。
【０１３５】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１３６】
図示はしないが、記憶部４０２は、写真シール作成装置１から受信した画像などのデータを一時的に保存する一時保存データベースも有している。
【０１３７】
（稼働情報データベース４２５）
稼働情報データベース４２５は、各写真シール作成装置１が提供する写真シール作成ゲームの各処理にかかった時間を示す稼働情報を格納している。なお、稼働情報のデータ構造については、データ構造の詳細については後述する。
【０１３８】
（設定指示情報データベース４２６）
設定指示情報データベース４２６は、各写真シール作成装置１が提供する写真シール作成ゲームの各処理の制限時間を指定する設定指示情報を格納している。なお、設定指示情報のデータ構造の詳細については、後述する。
【０１３９】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１４０】
なお、以上に示した管理サーバ４の各部の構成は、単一のサーバ装置において実現されていなくてもよく、上記各部の機能が複数のサーバ装置において分散して割り当てられていてもよい。
【０１４１】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１４２】
（制御部６０１の詳細）
図１２に示すように、制御部６０１は、通信制御部６１１、入力制御部６１２、表示制御部６１３、および非接触型ＩＣ６１４を備えている。
【０１４３】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１４４】
非接触型ＩＣ６１４は、写真シール作成装置１の非接触型ＩＣリーダ／ライタと通信を行うものである。より具体的には、非接触型ＩＣ６１４は、非接触型ＩＣリーダ／ライタと近接すると、当該非接触型ＩＣリーダ／ライタに携帯端末６のユーザの認証情報を送信する。なお、非接触型ＩＣ６１４は、写真シール作成装置１の非接触型ＩＣリーダ／ライタ９４Ａ、９４Ｂ、９５Ａ、９５Ｂ、および１６３のいずれと通信を行ってもよい。
【０１４５】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１４６】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１４７】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１４８】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１４９】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１５０】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１５１】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１５２】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１５３】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１５４】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１５５】
所定の金額分の硬貨が投入されたと判定した場合、撮影制御部３１２は、認証制御部３１６に対しユーザ認証の開始を通知する。認証制御部３１６は当該通知を受けると、ユーザ認証を行う（ステップＳ１００）なお、このユーザ認証については後で詳述する。ユーザ認証の結果（認証の成否）は記憶部２０２に保持される。なお、上述の会員認証（ステップＳ１００）は、後述する撮影空間Ａ１における写真撮影（ステップＳ２）の終了後、後述の事後接客（ステップＳ５）の開始までの期間の任意のタイミングで行ってもよい。また、会員認証は、上記期間内であれば複数回行われてもよい。
【０１５６】
ユーザ認証が終了すると、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理に関して設定指示情報で設定されている制限時間内に複数回行われる。
【０１５７】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１５８】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１５９】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。また、編集制御部３１３は、上記の編集操作に対して、設定指示情報で設定されている制限時間を設ける。また、編集制御部３１３は、ユーザの操作に応じて編集処理を終了してもよい。
【０１６０】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１６１】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１６２】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。また、事後接客制御部３１５は、上記の事後接客に対して、設定指示情報で設定されている制限時間を設ける。
【０１６３】
なお、ステップＳ１００にてユーザ認証に成功した場合、事後接客制御部３１５は、上述のメールアドレスの入力を省略してもよい。この場合、事後接客制御部３１５は、上記ユーザ認証により管理サーバ４から得られたメールアドレスを、タブレット内蔵モニタ１６１に自動表示すればよい。
【０１６４】
（画像送信）
通信制御部３１１は、入力された（または自動表示された）メールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１６５】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１６６】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１６７】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１６８】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１６９】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１７０】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１７１】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１７２】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１７３】
図１５（ｃ）に示すように、ウェブページ１１０７は、一つのサムネイル画像１１０４、および、全ての画像を保存するためのリンク画像１１０８を含んでいる。
【０１７４】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１７５】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１７６】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１７７】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１７８】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１７９】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１８０】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１８１】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１８２】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１８３】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１８４】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１８５】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１８６】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１８７】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１８８】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１８９】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１９０】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１９１】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１９２】
携帯端末６の通信制御部６１１は、通信部６０３を通じて、送信された画像を受信し、記憶部６０２に保存する（ステップＳ３２）。以上により、携帯端末６への画像保存処理が完了する。
【０１９３】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１９４】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１９５】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１９６】
（会員認証処理）
次に、携帯端末６、写真シール作成装置１、および管理サーバ４の間で行われる会員認証処理（図１４のＳ１００）についてより詳しく説明する。
【０１９７】
図１４のステップＳ１およびＳ１００にて説明したように、写真シール作成装置１は、撮影制御部３１２が、写真シール作成ゲームのプレイに必要な料金の硬貨が投入された（ユーザによってゲームのプレイが開始された）と判定すると、認証制御部３１６に対しユーザ認証の開始を通知する。認証制御部３１６は当該通知を受けると、撮影部２１のタッチパネルモニタ９３を制御し、ユーザ認証を促すメッセージ、画像、または動画（ユーザ認証の案内）を表示させる。
【０１９８】
認証制御部３１６は通知を受けると、非接触型ＩＣリーダ／ライタ９４Ａおよび非接触型ＩＣリーダ／ライタ９４Ｂを起動（通信待機）させる。ここで、ユーザの携帯端末６（非接触型ＩＣ６１４）が非接触型ＩＣリーダ／ライタ９４Ａまたは９４Ｂに近接すると、非接触型ＩＣリーダ／ライタ９４Ａまたは９４Ｂは、非接触型ＩＣ６１４と通信を開始する。
【０１９９】
非接触型ＩＣリーダ／ライタ９４Ａまたは９４Ｂは、非接触型ＩＣ６１４に携帯端末６のユーザの認証情報（例えば、会員ＩＤおよびパスワード）を要求する。当該要求を受けて、非接触型ＩＣ６１４は、制御部６０１を介し、記憶部６０２から携帯端末６のユーザの認証情報を読み出し、非接触型ＩＣリーダ／ライタ９４Ａまたは９４Ｂに送信する。
【０２００】
非接触型ＩＣリーダ／ライタ９４Ａまたは９４Ｂは、非接触型ＩＣ６１４から認証情報を受信すると、これらを制御部２０１の認証制御部３１６へ送信する。認証制御部３１６は、非接触型ＩＣリーダ／ライタ９４Ａまたは９４Ｂから受信した認証情報を管理サーバ４に送信するとともに、管理サーバ４に会員認証の要求を送信する。
【０２０１】
管理サーバ４の認証部４１５は、通信部４０３および通信制御部４１１を介し、上記会員認証の要求と、認証情報とを受信する。そして、認証部４１５は、受信した認証情報を、会員データベース４２２の会員情報４２２Ａと照合することによって、上記認証情報が示すユーザが画像提供サイトの会員か否かを判定する。上記認証情報が会員情報４２２Ａに登録されている場合、認証部４１５は、写真シール作成装置１に対し、会員認証が成功した旨を通知する。一方、上記認証情報が会員情報４２２Ａに登録されていない場合、認証部４１５は写真シール作成装置１に対し、会員認証が失敗した旨を通知する。
【０２０２】
認証制御部３１６は、管理サーバ４の認証部４１５から会員認証の結果を受信する。会員認証が成功した場合、認証制御部３１６は、会員認証が成功したユーザの識別情報（会員ＩＤ）を、ＲＡＭ２０７または記憶部２０２に格納する。そして、認証制御部３１６は、タブレット内蔵モニタ１３１に、当該ユーザの会員認証が成功した旨を示す画面を表示させる。
【０２０３】
なお、本実施形態では、ユーザ認証において、撮影部２１の非接触型ＩＣリーダ／ライタ９４Ａおよび９４Ｂの少なくともいずれかが非接触型ＩＣ６１４と通信を行うこととした。しかしながら、これに限られず、本実施形態に係る写真シール作成装置１は、編集部１２の非接触型ＩＣリーダ／ライタ９５Ａおよび９５Ｂ、ならびに事後接客部１３の非接触型ＩＣリーダ／ライタ１６３の少なくともいずれかを用いてユーザ認証を行ってもよい。
【０２０４】
さらに、上述の説明では、非接触通信（非接触型ＩＣおよび非接触型ＩＣリーダ／ライタ）を用いてユーザ認証を行うこととしたが、本実施形態において、写真シール作成装置１と携帯端末６との間の通信は、写真シール作成装置１が携帯端末６から認証情報を受信できる方法でありさえすればよく、その通信方法は特に限定されない。
【０２０５】
また、写真シール作成装置１は、管理サーバ４とリアルタイムに通信を行うのではなく、管理サーバ４から認証に必要な情報を予めダウンロードしておいてもよい。そして、写真シール作成装置１は、上記ダウンロードしておいた情報を用いて、写真シール作成装置１内で上述のユーザ認証を行ってもよい。
【０２０６】
具体的には、写真シール作成装置１は、例えば通信負荷が比較的少ない午前中や夜間などに管理サーバ４と通信を行い、会員データベース４２２に格納された各ユーザの会員情報を管理サーバ４からダウンロードし記憶部２０２に格納しておく。これにより、ユーザが写真シール作成ゲームをプレイしている時に、通信トラブルによりユーザ認証の終了まで長時間待たされる事態や、ユーザ認証が異常終了するような事態を避けることができる。
【０２０７】
［稼働情報の収集および設定指示情報の生成・配信］
本発明の実施形態１に係る管理サーバ４は、撮影画像管理システム１０に含まれる写真シール作成装置１（例えば、図１８に示した写真シール作成装置１Ａ、１Ｂ、・・・１Ｚ）から稼働情報を収集する。また、管理サーバ４は、所定の基準または稼働情報に基づいて、設定指示情報を生成する。また、管理サーバ４は、写真シール作成装置１からの要求に応じて、設定指示情報を写真シール作成装置１に配信する。以下において、その詳細について説明する。
【０２０８】
まず、図１９および図２０を用いて、稼働情報データベース４２５および設定指示情報データベース４２６のデータ構造について詳細に説明する。
【０２０９】
≪稼働情報のデータ構造≫
図１９は、稼働情報データベース４２５に格納される稼働情報のデータ構造および具体例を示す図である。
【０２１０】
図１９に示す稼働情報の１行は、写真シール作成装置１における１回の写真シール作成ゲームで生成される稼働情報に対応している。すなわち、この１行のデータは、稼働情報取得部４１６が、１回の写真シール作成ゲームについて写真シール作成装置１から取得した稼働情報を保存したものに相当する。
【０２１１】
図１９に示すように、稼働情報は、「地域」および「場所」、「装置ＩＤ」、「ゲームＩＤ」、「日時」、写真シール作成ゲームの各処理の処理時間を含むデータ構造を有している。
【０２１２】
「場所」には、写真シール作成装置１が設置される店舗を示す情報が格納され、「地域」には、その店舗が属する地域を示す情報が格納される。
【０２１３】
「装置ＩＤ」には、写真シール作成装置１の識別情報が格納される。「ゲームＩＤ」には、その写真シール作成装置１において行われる写真シール作成ゲームを一意に特定する識別情報が格納され、「日時」には、その写真シール作成ゲームが行われた日時が格納される。
【０２１４】
「処理時間」には、その写真シール作成ゲームにおいて行われた撮影処理、編集処理、および事後接客処理の処理時間が格納される。図１９に示す処理時間の単位は“秒”としている。
【０２１５】
なお、撮影処理の処理時間は、より具体的には、以下の（Ｐ１−１）および（Ｐ１−２）のどちらかの時間を計測したものとすることができる。
（Ｐ１−１）  ユーザが撮影部２１のタッチパネルモニタ９３にタッチした時点から移動案内が行われるまでの時間
（Ｐ１−２）  撮影開始から所定の撮影枚数を撮影し終わるまでの時間
また、編集処理の処理時間は、より具体的には、以下の（Ｐ２−１）および（Ｐ２−２）のどちらかの時間を計測したものとすることができる。
（Ｐ２−１）  ユーザが撮影空間Ａ１から出て編集空間Ａ２−１，Ａ２−２へ移動して、編集部１２のタブレット内蔵モニタ１３１にタッチした時点から編集終了までの時間
（Ｐ２−２）  撮影画像に編集落書き処理を施している時間
また、事後接客処理の処理時間は、より具体的には、以下の（Ｐ３−１）および（Ｐ３−２）のどちらかの時間を計測したものとすることができる。
（Ｐ３−１）  編集処理の終了後、印刷処理の開始のために、事後接客部１３への移動案内があってから、印刷終了するまでの時間。
（Ｐ３−２）  事後接客処理におけるメールアドレスの設定の時間などその他、各種設定のための時間
≪設定指示情報データベースのデータ構造≫
図２０は、設定指示情報データベース４２６に格納される設定指示情報のデータ構造および具体例を示す図である。
【０２１６】
図２０に示す設定指示情報の１行は、１つの写真シール作成装置１に対する設定指示を示す。
【０２１７】
図２０に示すように、設定指示情報は、「地域」および「場所」、「装置ＩＤ」、「時間帯」、「処理時間」を含むデータ構造を有している。
【０２１８】
「地域」および「場所」、「装置ＩＤ」については、稼働情報と同様であるので、ここでは、その説明を省略する。
【０２１９】
「制限時間」には、写真シール作成装置１における写真シール作成ゲームの各処理の制限時間を指定する情報が格納される。具体的には、「制限時間」では、「撮影処理」、「編集処理」、および「事後接客処理」に対する制限時間が設定される。
【０２２０】
なお、写真シール作成装置における制限時間とは、各種操作画面における、タイムアウトの時間を示し、制限時間が終わると、次の処理に画面が遷移するか、所定の操作部への移動案内が表示される。一般的に、撮影処理、編集処理、事後接客処理などの操作部での処理は、個別の小さい処理（手順）の集合となる。
【０２２１】
撮影処理は、例えば、“コイン投入”、“コース選択”、“画角選択”、“１枚目撮影からＮ枚目撮影（所定の制限時間後自動的に撮影される）”、“お名前入力”、“背景選択”、および“編集部への移動案内”などの手順を含む。
【０２２２】
編集処理は、例えば、“移動確認画面”、“落書き前ガイダンス”、“目の変形選択”、“明るさ選択”、“落書き編集処理”、“分割数選択”、および“移動案内”などの手順を含む。
【０２２３】
また、事後接客処理は、例えば、“携帯送信画像選択”、“送信アドレス入力”、“印刷待ちミニゲーム”、“印刷終了表示”などの手順を含む。
【０２２４】
一般的に各手順において、たとえば５秒から１５秒程度で、所定の制限時間が設定される。制限時間は、各手順について設定されるように構成されていてもよい。各手順の多くは、その制限時間を変更可能であるが、一部の手順では、システムの制約から変更不可のものもある。
【０２２５】
なお、以上において、稼働情報データベース４２５に格納される稼働情報および設定指示情報データベース４２６に格納される設定指示情報のそれぞれを、テーブル形式で表していたが、これは説明のための例示であり、稼働情報および設定情報のデータ表現形式はこのような形式に限定されない。
【０２２６】
（設定指示情報の生成方法）
管理サーバ４の設定指示情報生成部４１７が設定指示情報を生成する方法について説明する。
【０２２７】
［１］地域、場所や、時間帯あるいは装置ＩＤなどに基づく設定
設定指示情報生成部４１７は、写真シール作成装置１が属する地域に基づいて設定指示情報を生成してもよい。図２０を用いて説明すると次のとおりである。Ａ地域は地方都市であるとし、Ｂ地域は都心の繁華街であるとし、Ａ地域のユーザはＢ地域のユーザよりも少ないとする。言い換えれば、Ｂ地域でのゲーム回数（稼働情報の個数に相当）が、Ａ地域でのゲーム回数よりも少ないということである。
【０２２８】
このような場合、図２０に示すように、Ａ地域に属する店舗に設置される写真シール作成装置１のための制限時間（各処理の制限時間の総計）を、Ｂ地域に属する店舗に設置される写真シール作成装置１のための制限時間（各処理の制限時間の総計）よりも長くしてもよい（または制限時間なしでもよい）。また、制限時間は、目標となる稼働率に基づいて設定されてもよい。稼働率は、地域に応じて設定されていてもよいし、管理サーバ４の管理者の操作により入力されてもよい。例えば、都心の繁華街では、コアなユーザ（写真シール作成ゲームに慣れたユーザ）が多い。また、都心の繁華街の店舗では、地価、家賃が高い傾向があり、これらを賄うため高稼働率が求められる。そこで、都心の繁華街のＢ地区では、稼働率８０％を目標としてもよい。このように、所定の稼働率が求められる場合、最低でも当該所定の稼働率は満たすように写真シール作成装置１を動作させるため、この場合は制限時間に上限を付ける。一方で、地方都市は、都心の繁華街と比べれば、コアなユーザも少なく、地価、家賃もそれほど高くない傾向がある。このため、コアなユーザが少なく低稼働率でもかまわないＡ地区では、稼働率３０％を目標としてもよい。また、稼働率が３０％以下でもよい場合は、ユーザの利便性を考えて、制限時間に下限を付けてもよい。
【０２２９】
なお、稼働率Ｐは、種々の計算式から算出することができる。説明を単純化するため、まず、写真シール作成装置１が撮影空間および編集空間をそれぞれ１つ備えるシングル接客である場合について説明すると次のとおりである。すなわち、写真シール作成装置１における単位時間（ｈ）当たりの実際の（あるいは目標とする）ゲーム数ｎ、単位時間（ｈ）当たりのゲーム数の最大値Ｎとしたときに、『Ｐ＝（ｎ／Ｎ）＊１００』で表すことができる。
【０２３０】
制限時間（各処理の制限時間の総計）ｔ（ｈ）は、１ゲーム当たりにかかる（最大）時間となり、その逆数１／ｔは、単位時間（ｈ）当たりのゲーム数を表わす。よって、ｔの逆数１／ｔ＝ｎとなるように、ｔを設定することができる。
【０２３１】
写真シール作成装置１が多重接客の場合は、異なる計算式により、稼働率Ｐを算出することができる。例えば、撮影空間が１つ、編集空間が２つの場合で、撮影時間は編集時間の１／２であるときは以下のようになる。すなわち、１回目のゲームから２回目のゲーム関わる時間差は、撮影空間の時間であり、連続稼働する場合の次のゲームの最大待ち時間は、撮影時間である。すなわち、撮影空間に新規の客が入るがｔに対応する。Ｎ回のゲームにかかる時間Ｔは、Ｔ＝撮影時間＊Ｎ＋編集時間＋事後接客時間（印刷時間）となる。
【０２３２】
また、同じ地域に属する店舗であっても、店舗間でユーザ数にバラツキがある場合は、設定指示情報生成部４１７は、店舗ごとに設定指示情報を生成してもよい。
【０２３３】
また、設定指示情報生成部４１７は、同一店舗に適用される設定指示情報において、時間帯毎に制限時間を設定してもよい。例えば、午前中〜夕方の閑暇期に適用される設定指示情報では、制限時間を長くし、夕方〜夜の繁忙期に適用される設定指示情報では、制限時間を短くしてもよい。なお、図２０では、“ＸＸＸＸ店舗”および“ＹＹＹＹ店舗”について、１５：００−１６：００の１時間において適用される制限時間を例示している。
【０２３４】
また、設定指示情報生成部４１７は、写真シール作成装置１の装置ＩＤに基づいて設定指示情報を生成してもよい。
【０２３５】
［２］処理時間に基づく設定
設定指示情報生成部４１７は、稼働情報データベース４２５に格納されている稼働情報を参照し、地域、場所（店舗）または装置ＩＤごとの処理時間に基づいて設定指示情報を生成してもよい。例えば、設定指示情報生成部４１７は、所定期間または所定のレコード数の稼働情報が示す処理時間の平均値に基づいて設定指示情報を生成してもよい。図１９を用いて説明すると次のとおりである。
【０２３６】
図１９に示す“ＹＹＹＹ店舗”のゲームＩＤ“Ｙ１＊＊＊＊＊＊”、“Ｙ２＊＊＊＊＊＊”、および“Ｙ３＊＊＊＊＊＊”の３つについて、設定指示情報生成部４１７は、各処理の処理時間の平均値を求める。例えば、撮影処理の処理時間については、それぞれ、“７０”、“６５”、“６０”、であるので、その平均値は、“６５”である。そこで、設定指示情報生成部４１７は、撮影処理の制限時間を“６５”としてもよい。また、制限時間の単位は、任意であり、１秒刻みで設定してもよいし、他にも例えば５秒刻みで設定してもよい。
【０２３７】
制限時間を５秒刻みで設定する場合について説明すると次のとおりである。図１９に示す“ＹＹＹＹ店舗”のゲームＩＤ“Ｙ１＊＊＊＊＊＊”、“Ｙ２＊＊＊＊＊＊”、“Ｙ３＊＊＊＊＊＊”の編集処理については、“７０”、“６５”、“６０”、であるので、その平均値は、約“８８．３”である。設定指示情報生成部４１７は、平均値を切り上げて、または切り下げて５秒間隔に合わせてもよい。上記の場合、設定指示情報生成部４１７は、平均値を切り上げて、編集処理の制限時間を“９０”としてもよい。なお、各処理の制限時間には、上限を設けてもよい。
【０２３８】
［３］会員種別に応じた設定
設定指示情報生成部４１７は、写真シール作成ゲームを行うユーザの会員種別ごとに設定指示情報を生成してもよい。例えば、設定指示情報生成部４１７は、会員種別が有料会員であるユーザに適用するための制限時間を、会員種別が有料会員であるユーザに適用するための制限時間よりも長く設定しても構わない。図１４を用いて、このような設定指示情報に基づく写真シール作成装置１の動作について説明すると次のとおりである。まず、写真シール作成ゲームを行うユーザの会員種別が、有料会員であるか否かは、Ｓ２００において、写真シール作成装置１にてユーザ認証を行うことで判定することができる。そして、続くＳ３、Ｓ４、およびＳ５では、それぞれ、撮影制御部３１２、編集制御部３１３、および事後接客部３１５は、設定指示情報に基づき、Ｓ２００で判定された会員種別に応じて、制限時間を設定すればよい。
【０２３９】
［４］ユーザごとの設定
ユーザごとに制限時間を設定する変形例について説明すると次のとおりである。まず、写真シール作成装置１では、写真シール作成ゲームにおいて、Ｓ２００のユーザ認証によりユーザを特定しておき、稼働情報送信部３１７が、稼働情報にユーザを特定する情報（会員ＩＤなど）を付加して、管理サーバ４に送信する。そして、設定指示情報生成部４１７が、ユーザごとに設定指示情報を生成する。設定指示情報生成部４１７は、例えば、当該ユーザに関する稼働情報について、上記［２］に示した方法を適用することで設定指示情報を生成することができる。これにより、各処理に時間をかける傾向のあるユーザに対しては、長めの制限時間を設定することができ、ユーザの写真シール作成ゲームに対する満足度を向上させることができる。
【０２４０】
［５］その他
設定指示情報生成部４１７は、上記［１］〜［４］で示した方法を組み合わせて、設定指示情報を生成してもよい。例えば、会員種別が、有料会員である場合と、無料会員である場合とに場合分けをし（上記［３］に対応）、それぞれの場合について、上記［２］に示した処理時間に基づく設定を行ってもよい。
【０２４１】
また、上記［４］に示したようにユーザごとに制限時間を設定する場合でも、上記［１］に示したように、地域ごとに目標となる稼働率が制限時間に対して設定されていてもよい。これにより、過度に制限時間を長くすることを防ぎつつ、ユーザが写真シール作成ゲームをしやすい制限時間を設定することができる。
【０２４２】
また、同一店舗に複数の写真シール作成装置１が設けられている場合、或る写真シール作成装置１用の設定指示情報を、上記［３］または［４］に示した方法により生成し、他の写真シール作成装置１用の設定指示情報を、上記［２］に示した方法により生成してもよい。これにより、上記或る写真シール作成装置１は、会員種別またはユーザに応じた制限時間を設定する一方で、上記他の写真シール作成装置１は、地域や、店舗などに応じた制限時間を設定することができる。なお、他の写真シール作成装置１用の設定指示情報では、予め定められた固定的な制限時間が設定されていてもよい。また、時間帯に応じて、上記或る写真シール作成装置１と、上記他の写真シール作成装置１との間で、このような異なる制限時間を設定してもよい。
【０２４３】
なお、上記［３］または［４］の設定を行わないのであれば、写真シール作成装置１における認証制御部３１６は、省略可能である。
【０２４４】
［稼働情報の収集および設定指示情報の生成・配信の処理の流れ］
次に、図２１を用いて、稼働情報の収集から設定指示情報の生成・配信にかけての一連の処理の流れについて説明する。図２１は、稼働情報の設定指示情報の生成から配信にかけての一連の処理の流れの例を示すシーケンス図である。
【０２４５】
まず始めに、管理サーバ４において、設定指示情報生成部４１７が、設定指示情報を生成する（Ｓ４１）。設定指示情報生成部４１７が、設定指示情報を生成するタイミングは任意であり、例えば、日次で行われる処理としてもよいし、月次で行われる処理としてもよい。
【０２４６】
次に、写真シール作成装置１が起動されると（Ｓ４２）、設定指示要求部３１８が、管理サーバに対して、設定指示情報を送信するよう要求し（Ｓ４３）、管理サーバ４が、このＳ４３の要求を受け付ける。なお、この設定指示情報送信要求には、写真シール作成装置１の装置ＩＤが含まれるものとする。
【０２４７】
Ｓ４３の要求に応じて、管理サーバ４では、設定指示情報配信部４１８が、写真シール作成装置１に対して、設定指示情報を送信する（Ｓ４５；制限時間情報取得ステップ、制限時間情報送信ステップ）。具体的には、設定指示情報配信部４１８は、設定指示情報を送信するよう要求してきた写真シール作成装置１の装置ＩＤに対応する設定指示情報を設定指示情報データベース４２６から読み出して、読み出した設定指示情報を写真シール作成装置１に対して送信する。
【０２４８】
続いて、写真シール作成装置１では、設定指示情報要求部３１８が管理サーバ４から送信される設定指示情報を受信し（Ｓ４６；制限時間情報受信ステップ）、受信した設定指示情報を記憶部２０２に記憶する。これにより、設定指示情報で指定されている制限時間の設定が反映される（Ｓ４７；制限時間設定ステップ）。
【０２４９】
なお、以上では、写真シール作成装置１が起動時に設定指示情報を取得する実施例について示したが、設定指示情報を取得するタイミングは、これに限られない。写真シール作成装置１は、定期的（週に１回など）または非定期的に設定指示情報を取得しても構わない。
【０２５０】
また、以上では、管理サーバ４において、設定指示情報を生成する構成について説明したが、これに限られない。管理サーバ４とは別のサーバ装置において、設定指示情報を生成してもよい。具体的には、当該別のサーバでは、通信部４０３、制御部４０１、および記憶部４０２に相当する構成を設けて、制御部４０１に相当する構成において、通信制御部４１１、稼働情報取得部４１６、設定指示情報生成部４１７、および設定指示情報配信部４１８を設け、記憶部４０２に相当する構成において、稼働情報データベース４２５、設定指示情報データベース４２６を設けて、上述したように設定指示情報を生成すればよい。
【０２５１】
また、設定指示情報配信部４１８は、写真シール作成装置１からの要求に応じて、設定指示情報を配信することについて説明したが、これには限られない。設定指示情報配信部４１８は、任意のタイミングで写真シール作成装置１に設定指示情報を送信してもよい。例えば、設定指示情報配信部４１８は、定期的（週に１回など）または非定期的に設定指示情報を写真シール作成装置１に対して送信してもよい。
【０２５２】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２５３】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２５５】
本発明は、写真シール作成装置において作成されたユーザの撮影画像を管理サーバに保存する撮影画像管理システムとして、幅広く利用することができる。
【符号の説明】
【０２５６】
１  写真シール作成装置（写真撮影編集装置）
４  管理サーバ（サーバ）
６  携帯端末
１０  撮影画像管理システム（写真撮影編集装置制御システム）
１１  撮影ユニット
１２  編集部
１３  事後接客部
２１  撮影部
２０１  制御部
３１１  通信制御部
３１２  撮影制御部（制限時間設定手段）
３１３  編集制御部（制限時間設定手段）
３１４  印刷制御部
３１５  事後接客制御部（制限時間設定手段）
３１６  認証制御部
３１７  稼働情報送信部
３１８  設定指示要求部（制限時間情報受信手段）
４０１  制御部
４０２  記憶部
４０３  通信部
４１１  通信制御部
４１２  メール作成部
４１３  ウェブページ作成部
４１４  画像管理部
４１５  認証部
４１６  稼働情報取得部（処理時間情報取得手段）
４１７  設定指示情報生成部（制限時間情報取得手段）
４１８  設定指示情報配信部（制限時間情報送信手段）
４２２  会員データベース
４２５  稼働情報データベース
４２６  設定指示情報データベース（記憶部）
６０１  制御部
６０２  記憶部
６０３  通信部
６０４  入力部
６０５  表示部
６１１  通信制御部
６１２  入力制御部
６１３  表示制御部
【図１】
2015184314.tif 000003
【図２】
2015184314.tif 000004
【図３】
2015184314.tif 000005
【図４】
2015184314.tif 000006
【図５】
2015184314.tif 000007
【図６】
2015184314.tif 000008
【図７】
2015184314.tif 000009
【図８】
2015184314.tif 000010
【図９】
2015184314.tif 000011
【図１０】
2015184314.tif 000012
【図１１】
2015184314.tif 000013
【図１２】
2015184314.tif 000014
【図１３】
2015184314.tif 000015
【図１４】
2015184314.tif 000016
【図１５】
2015184314.tif 000017
【図１６】
2015184314.tif 000018
【図１７】
2015184314.tif 000019
【図１８】
2015184314.tif 000020
【図１９】
2015184314.tif 000021
【図２０】
2015184314.tif 000022
【図２１】
2015184314.tif 000023